(57)【特許請求の範囲】
【請求項１】
ベッドと、
前記ベッド上に設置され、ロール形状のワークの一端をチャックで保持しながら該ワークに回転を与えるとともに、ワークの円周方向の割出しを行う割出し軸（Ｃ軸）を有する主軸台と、
前記主軸台に対向して前記ベッド上に配置され、前記ワークの一端を回転自在に支持する心押台と、
前記ワークの長手方向（Ｚ軸）を移動可能に前記ベッド上に設置されたサドルと、
ワークの長手方向と直角の方向（Ｘ軸）に移動可能に前記サドル上に設置されたテーブルと、
前記テーブル上に設置され、割出し軸（Ｂ軸）を有する刃物旋回台と、
前記ロールに周方向の溝を創成する複数のバイトが取り付けられ、前記刃物旋回台上に設置された刃物台と、
前記刃物旋回台の旋回により割り出せるように前記刃物台に設置され、前記ロールに軸方向の溝を創成するフライカッターを高速回転させるフライカッタースピンドル装置とを具備することを特徴とする精密ロール旋盤。
【請求項２】
前記フライカッタースピンドル装置は、ダイヤモンドバイトからなる前記フライカッターを１個だけ外周部に保持する円板状のカッタホルダと、前記カッタホルダが取り付けられたカッタースピンドルと、前記カッタースピンドルを支持する空気軸受を内蔵する本体と、前記カッタースピンドルを直接駆動し高速回転させるサーボモータと、からなることを特徴とする請求項１に記載の精密ロール旋盤。
【請求項３】
前記カッタースピンドル装置は、前記フライカッターを前記刃物台のバイトと同じ高さのＸ−Ｚ平面内で回転させることを特徴とする請求項２に記載の精密ロール旋盤。
【請求項４】
前記刃物台は、略半円柱形の刃物台本体を有し、刃物台本体の周方向に所定の間隔でバイトが取り付けられていることを特徴とする請求項１に記載の精密ロール旋盤。
【請求項５】
前記刃物台上には、フライカッタースピンドル装置の重量とバランスさせるカウンタウェイトを搭載したことを特徴とする請求項４に記載の精密ロール旋盤。
【請求項６】
前記往復台の送りを案内するＺ軸案内面は、前記ベッドの上面にＺ軸と平行に多数のローラが配列された転がり案内からなることを特徴とする請求項１に記載の精密ロール旋盤。
【請求項７】
Ｘ軸およびＺ軸の送り駆動装置は、それぞれリニアモータからなることを特徴とする請求項１に記載の精密ロール旋盤。
【発明の詳細な説明】
【技術分野】
【０００１】
本発明は、ロールに対して溝加工を行う精密旋盤に係り、特に、ロールの外周に周方向の溝を加工するだけでなく、軸方向に溝を高精度に加工することができる精密ロール旋盤に関する。
【背景技術】
【０００２】
ロールを加工する工作機械にはロール研削盤やロール旋盤がある。ロール研削盤は、主軸台、心押台、往復台を備えており、往復台には研削砥石が設けられている。
【０００３】
従来、ロール研削盤では、ロールの外周面を砥石で研削する加工の他、外周面に溝を加工することが行われる。特許文献１には、溝を切削する切削鋸刃を有する溝加工装置を往復台に設けたロール研削盤が記載されている。
【０００４】
ロール旋盤は、ダイヤモンドバイトを取り付けた刃物台を往復台に設置した旋盤である。主軸台でロールを回転させ、往復台を前後方向（Ｘ軸）に送りながら周方向の溝を加工するのが基本的な使い方である。軸方向に溝を加工する場合は、主軸台（Ｃ軸）でロールを割り出しながら、往復台を左右方向（Ｚ軸）に高速移動させることにより、軸方向に溝を創生することができる。
【０００５】
近年、制御技術の進歩によって、旋盤による超精密加工が実現されている。これにより、光学レンズを成形する金型を旋盤で加工できるようになってきている。例えば、本出願人は、フレネルレンズ成形用の金型を加工できる立旋盤を提案している（特許文献２）。この立旋盤では、フレネルレンズ成形金型のＶ形レンズ溝を高精度に加工することができる。
【０００６】
ところで、液晶表示装置の普及により、液晶パネルのバックライトに使用されるレンズシートの需要が増大している。この種のレンズシートには、前述したフレネルレンズの他、レンチキュラーレンズシート、クロスレンチキュラーレンズシート、プリズムシートなどがある。
【０００７】
最近では、レンチキュラーレンズシート、クロスレンチキュラーレンズシート、プリズムシートをロール形状の金型を用いて、押出機で成形することが検討されている。
【特許文献１】特開２００３−９４２３９号公報
【特許文献１】特開２００４−３５８６２４号公報
【発明の開示】
【発明が解決しようとする課題】
【０００８】
しかしながら、これらのレンズシート成形用の金型をロール旋盤で加工する場合、ロールの外周面には、周方向の溝（縦溝）と長手方向の溝（横溝）を精密に加工する必要があるが、次のような問題がある。
【０００９】
縦溝の加工では、上述したように、主軸台でロールを高速に回転させながら、ダイヤモンドバイトを半径方向に送って溝を旋削するので、ロールの高速回転により必要十分な切削速度の下で良好な加工面を得ることができる。
【００１０】
ところが、横溝の加工となると、主軸台でロールを割り出してから、主軸台を長手方向に送るので、十分な切削速度が得られないという問題がある。すなわち、理想的な切削速度は、材質が銅、ニッケルメッキを施したロールの場合、約３００ｍ／分であるのに対して、高速な往復台といえども、移動速度は１０ｍ／分程度である。目一杯速く往復台を移動させたとしても、高精度の加工面を得られるだけの切削速度にはとうてい足りず、レンズシートを成形する金型に要求される超精密の加工面を得ることができなかった。
【００１１】
そこで、本発明の目的は、前記従来技術の有する問題点を解消し、ロールの外周面に周方向の縦溝を高精度に加工できるだけでなく、長手方向の横溝についても高精度に加工することができるようにした精密ロール旋盤を提供することにある。
【００１２】
また、本発明の他の目的は、摺動面の発熱による熱変形を少なくし、高精度のロール加工を行えるようにした精密ロール旋盤を提供することにある。
【課題を解決するための手段】
【００１３】
前記の目的を達成するために、本発明は、ベッドと、前記ベッド上に設置され、ロール形状のワークの一端をチャックで保持しながら該ワークに回転を与えるとともに、ワークの円周方向の割出しを行う割出し軸（Ｃ軸）を有する主軸台と、前記主軸台に対向して前記ベッド上に配置され、前記ワークの一端を回転自在に支持する心押台と、前記ワークの長手方向（Ｚ軸）を移動可能に前記ベッド上に設置されたサドルと、ワークの長手方向と直角の方向（Ｘ軸）に移動可能に前記サドル上に設置されたテーブルと、前記テーブル上に設置され、割出し軸（Ｂ軸）を有する刃物旋回台と、前記ロールに周方向の溝を創成する複数のバイトが取り付けられ、前記刃物旋回台上に設置された刃物台と、前記刃物旋回台の旋回により割り出せるように前記刃物台に設置され、前記ロールに軸方向の溝を創成するフライカッターを高速回転させるフライカッタースピンドル装置とを具備することを特徴とするものである。
【発明の効果】
【００１４】
本発明によれば、刃物旋回台上の刃物台とフライカッタスピンドル装置を使い分けることにより、ロール形状のワークに対して縦溝（周方向の溝）を切削できるのはもちろん、横溝（軸方向の溝）についても高精度の加工を行うことができる。
【００１５】
また、往復台の案内に転がり案内を用いた機械で横溝を加工するときには、往復台のＺ軸送りを比較的低速で済ませることができるので、Ｚ軸の転がり案内面での発熱は抑制でき、これにより、転がり案内による運動性能を活用しつつベッドやサドルの熱変形による加工精度の低下を防止できる。
【発明を実施するための最良の形態】
【００１６】
以下、本発明による精密ロール旋盤の一実施形態について、添付の図面を参照しながら説明する。  
図１は、本発明による精密ロール旋盤の側面図で、図２は同精密ロール旋盤の平面図である。  
図１および図２において、参照番号１０は、ベッドを示す。このベッド１０の上には、主軸台１２、心押台１４、往復台１６が配置されている。工作物はロール形状のワークＷであり、主軸台１２と心押台１４とで回転自在に支持されている。
【００１７】
主軸台１２は、ベッド１０の長手方向の一端部に配置されている。この主軸台１２は、本体部１７と、主軸１８と、主軸１８の先端に取り付けられたチャック１９と、主軸１８を駆動するサーボモータ２０を含む。主軸１８は本体部１７に内蔵されている図示しない油静圧軸受により支持されている。チャック１９は、ワークＷの軸を把持し、主軸１９の回転をワークに伝達する。この主軸台１２では、サーボモータ２０は、ワークＷを高速で回転させるために主軸１８を駆動する。これに加えて、エンコーダ２２によりサーボモータ２０の回転量を検出し、サーボモータ２０の回転量を制御することにより、ワークＷの円周方向の割出しを行う割出し軸（Ｃ軸）としての機能が主軸台１２に付加されている。なお、主軸台１２の軸受には、油静圧軸受の他、空気軸受、ベアリング軸受であってもよい。
【００１８】
次に、心押台１４は、主軸台１２に対向してベッド１０上に配置されている。ベッド１０の上面には図示しない案内面が設けられ、心押台１４は移動可能に設置されている。心押台１４は、ワークＷの軸をセンタ２５で回転自在に支持する。なお、心押台１４では、センタ２５の取り付けられた心押軸は空気軸受により支持されている。この実施形態では、主軸台１２と心押台１４でワークＷを支持する形態であるが、心押台１４の代わりに、モータをもたない軸受とチャックからなる支持機構を用いるようにしてもよい。
【００１９】
次に、往復台１６について説明する。  
往復台１６は、ワークＷの軸方向に移動可能にベッド１０上に設置されているサドル２６を含む。このサドル２６の上には、ワークＷの軸方向と直角の方向に移動可能にテーブル２８が設置されている。本実施形態の精密ロール旋盤では、サドル２６を送る軸がＺ軸で、サドル２６上でテーブル２８を送る軸がＸ軸である。そして、この精密ロール旋盤では、Ｘ軸、Ｚ軸の他、主軸台１２にはＣ軸、テーブル２８に設けられた刃物旋回台３０にはＢ軸が設けられており、合計４軸制御の工作機械である。
【００２０】
図３は、刃物旋回台３０を示す。図４は、ベッド１０やサドル２６からカバー類を取り外した状態で刃物旋回台３０を示す図である。本実施形態による刃物旋回台３０は、旋回台本体３１と、天板３２とを含む。天板３２の上には、複数のバイトが取り付けられた刃物台３３と、フライカッタースピンドル装置３４が取り付けられている。
【００２１】
旋回台本体３１の内部には、刃物台３３の任意のバイトまたはフライカッタスピンドル装置３４のフライカッタを割り出すためのＢ軸を構成するビルトイン型のサーボモータが組み込まれている。天板３２を支持する軸はこのサーボモータに駆動され、天板３２は旋回することができる。
【００２２】
この天板３２の片側には、刃物台３３が取り付けられ、他方の片側に寄った位置にフライカッタスピンドル装置３４が配置されている。この場合、フライカッタスピンドル装置３４は、刃物台３３に固定されたブラケット４５によって支持されている。刃物台３３は略半円柱の刃物台で、周方向に所定の間隔でダイヤモンドバイト３６が配列されている。この実施形態では、ダイヤモンドバイト３６が３本、天板３２といっしょに刃物台３３を９０度ごとに旋回させることで割り出せるようになっているが、ダイヤモンドバイトを４本にして旋回６０度毎に割り出すようにするなど、種々の形態がある。刃物台３３の上面には、フライカッタースピンドル装置３４の重量とバランスさせるためのカウンタウェイト３７が設置されている。
【００２３】
次に、フライカッタースピンドル装置３４について説明する。図４において、このフライカッタースピンドル装置３４は、本体部３４ａと、サーボモータ３５と、フライカッター３９が取り付けられたカッターホルダ３８を含む。本体部３４ａの内部では、図示されないカッタースピンドルが空気軸受により支持されており、このカッタースピンドルはサーボモータ３５により直接駆動され、高速で回転する。カッタスピンドルの先端に取り付けられているカッターホルダ３８は、周速を大きくするため円板状のカッタホルダである。このカッターホルダ３８の外周部にはダイヤモンドバイトからなるフライカッター３９が１個保持されている。この場合、カッタスピンドル装置３４は、カッタースピンドルをＸ軸方向とＺ軸方向に共に直角な姿勢で支持し、フライカッター３９をＸ−Ｚ平面内で高速に回転させる。刃物台３３に取り付けられているダイヤモンドバイト３６の刃先は、フライカッター３９の回転するＸ−Ｚ平面と同じ平面内にある。
【００２４】
以上のように構成される刃物旋回台３０は、図４に示すように、サドル２６の上面には、Ｖ形の凸条からなるＸ軸案内４０が延びており、このＸ軸案内面４０には、リテーナにより保持された多数のコロ４１が配列された転がり案内面が構成されている。同様に、往復台１６のサドル２６は、ベッド１０の上面のＺ軸案内４２により案内される。このＺ軸案内４２もコロ４３が配列された転がり案内面になっている。
【００２５】
なお、サドル２６を送るＺ軸送り駆動装置、刃物旋回台３０を搭載したテーブル２８を送るＸ軸送り駆動装置はともに、リニアモータから構成されている。参照番号４４は、Ｘ軸送り機構のリニアモータを構成する永久磁石列を示し、４５は、Ｚ軸案内面４０と平行に延びる永久磁石列を示す。  
本実施形態による精密ロール旋盤は、以上のように構成されるものであり、次に、その作用並びに効果について説明する。  
まず、本実施形態の精密ロール旋盤の往復台１６に搭載された刃物旋回台３０の機能について説明する。
【００２６】
この刃物旋回台３０には、ダイヤモンドバイト３６の取り付けられた刃物台３３に加えて、フライカッタースピンドル装置３４が搭載されているので、Ｂ軸の割り出し機能を使って、刃物台３３とフライカッタースピンドル装置３４を適宜使い分けて複合的な加工を行うことができる。
【００２７】
また、フライカッタスピンドル装置３４はサーボモータ３５と空気軸受が一体にユニット化されたコンパクトな構造をもち、刃物台３３への設置が容易であるとともに、カウンタウェイト３７で重量をバランスさせてＢ軸で刃物台３３の刃物を割り出す場合に誤差が生じないようにしている。
【００２８】
刃物旋回台３０上の刃物台３３とフライカッタスピンドル装置３４を以下のように使い分けることにより、ワークＷに対して縦溝（周方向の溝）を切削できるのはもちろん、横溝（軸方向の溝）についても高精度の加工を行うことができる。
【００２９】
まず、ワークＷに縦溝を切削する加工について説明する。  
縦溝の加工は、通常のロール旋盤と同様である。すなわち、刃物台３３のダイヤモンドバイト３６のうち使用するバイトをＢ軸で割出す。また、主軸台１２のサーボモータ２０でワークＷを回転させる。そして、テーブル２８をＸ軸方向に送り、ダイヤモンドバイト３６でワークＷに切込み、横溝を旋削することができる。
【００３０】
図５に示すように、例えば、レンチキュラーレンズ成形用の金型に用いられるロールを加工する場合には、１本の縦溝５０を切削する毎に、溝幅分だけバイト３６をＺ軸方向に送りつつ縦溝を切削する。
【００３１】
これに対して、横溝を加工する場合には、刃物旋回台３０では、フライカッタースピンドル装置３４をＢ軸で割出す。そして、図３に示すように、フライカッタースピンドル装置３４のカッタホルダ３８をワークＷに直面させる。他方、主軸台１２のＣ軸でワークＷの横溝を加工すべき周方向の位置を割り出す。
【００３２】
フライカッタースピンドル装置３４のサーボモータ３５を起動し、図６に示すように、カッターホルダ３８を高速で回転させ、フライカッタ３９をＸ軸方向に切り込ませる。そして、フライカッター３９をＺ軸で送りながら横溝５２を切削する。これにより、フライカッター３７は、断続的にワークＷを切削し、横溝５２を創成していく。
【００３３】
フライカッタースピンドル装置３４のカッタホルダ３８は高速で回転しているので、フライカッター３７には理想の切削速度（約３００ｍ／分）を与えることができる。このように、往復台１６の能力によって限界があるＺ軸送り速度とは無関係に、必要な切削速度で横溝を加工できるので、従来のように、往復台１６の送り速度に限界があって必要な切削速度が得られないため、横溝の精密な加工面が得られなかったという課題は克服される。
【００３４】
また、送り速度を限界近くまで高速にした従来のロール旋盤とは逆に、往復台１６のＺ軸送りは比較的低速で済ませることができるので、Ｚ軸のころがり案内面での発熱は抑制される。これにより、転がり案内による運動性能を活用しつつベッド１０やサドルの熱変形による加工精度の低下を防止することができる。
【００３５】
以上のようにして、本実施形態の精密ロール旋盤によれば、横溝、縦溝のいずれをも高精度に加工できるので、同じロールに縦溝と横溝を縦横に加工するといったロール加工も可能となる。例えば、クロスレンチキュラーレンズシート成形用の金型や、プリズムシート成形用の金型等、種々のレンズシート成形用の金型加工を実現できる。
【００３６】
なお、本実施形態の精密ロール旋盤では、以上説明した以外にも、刃物台３３のダイヤモンドバイト３６を使って、往復台１６をＺ軸送りしながらワークＷに横溝を切削することもできる。
【図面の簡単な説明】
【００３７】
【図１】本発明の一実施形態による精密ロール旋盤の側面図。
【図２】同精密ロール旋盤の平面図。
【図３】同精密ロール旋盤の往復台に設けられた刃物旋回台を正面図。
【図４】同刃物旋回台の斜視図。
【図５】本発明の精密ロール旋盤によるロールへの縦溝の加工の説明図。
【図６】本発明の精密ロール旋盤によるロールへの横溝の加工の説明図。
【符号の説明】
【００３８】
１０  ベッド
１２  主軸台
１４  心押台
１６  往復台
１９  チャック
２０  サーボモータ
２６  サドル
２８  テーブル
３０  刃物旋回台
３３  刃物台
３４  フライカッタースピンドル装置
３６  ダイヤモンドバイト
３９  フライカッター
【図１】
0004739108.tif 000002
【図２】
0004739108.tif 000003
【図３】
0004739108.tif 000004
【図４】
0004739108.tif 000005
【図５】
0004739108.tif 000006
【図６】
0004739108.tif 000007